【手続補正書】
【提出日】平成19年11月2日(2007.11.2)
【手続補正１】
【補正対象書類名】明細書
【補正対象項目名】発明の名称
【補正方法】変更
【補正の内容】
【発明の名称】海外送金システム
【手続補正２】
【補正対象書類名】明細書
【補正対象項目名】特許請求の範囲
【補正方法】変更
【補正の内容】
【特許請求の範囲】
【請求項１】 送金側の国から受取側の国への送金を実行する海外送金システムにおいて、
前記送金側の国に設置される送金側データ処理装置と、前記受取側の国に設置される受取側データ処理装置とを有し、
前記受取側データ処理装置が受取人及び送金人のそれぞれに対して２つの関連付けられたカード番号をそれぞれ割り当てたカードを予め発行し、
前記送金側データ処理装置が前記送金人の入金した送金の金額及び前記送金人のカード番号を含む送金データを国際間決済処理ネットワークを利用して前記受取側データ処理装置へ伝送し、
前記受取側データ処理装置が前記送金側データ処理装置から伝送された送金データをデータベースに保存し、
前記受取人から送金の受取要求と共に前記受取人のカード番号の提示があった場合に、前記受取側データ処理装置が前記データベースを参照して前記受取人により提示された前記受取人のカード番号と前記送金データに含まれる前記送金人のカード番号との関連付けを確認し、
双方の前記カード番号の関連付けが確認された場合に、前記受取側データ処理装置が受取窓口端末装置に対して前記送金の金額の範囲内の受取りを承認する通知を伝送することを特徴とする海外送金システム。
【請求項２】 前記送金人による入金及び前記送金人のカード番号を受付け、前記送金人の入金した送金の金額及び前記送金人のカード番号を含む前記送金データを前記送金側データ処理装置へ伝送する送金窓口端末装置を有することを特徴とする請求項１に記載の海外送金システム。
【請求項３】 前記受取窓口端末装置が、前記受取人による前記送金の受取要求及び前記受取人のカード番号の提示を受付け、前記受取人のカード番号を含む受取データを前記受取側データ処理装置へ伝送することを特徴とする請求項１に記載の海外送金システム。
【請求項４】 送金側の国から受取側の国への送金を実行する海外送金システムにおいて、
前記送金側の国に設置される送金側データ処理装置と、前記受取側の国に設置される受取側データ処理装置とを有し、
前記受取側データ処理装置が受取人及び送金人のそれぞれに対して２つの関連付けられたカード番号をそれぞれ割り当てたカードを予め発行し、
前記送金側データ処理装置が前記送金人の入金した送金の金額及び前記送金人のカード番号を含む送金データを国際間決済処理ネットワークを利用して前記受取側データ処理装置へ伝送し、
前記受取側データ処理装置が前記送金データに含まれる前記送金人のカード番号と関連付けられた前記受取人のカード番号に対応する前記受取人のカードに関するデータを保管したデータベース内における該カードの利用枠を前記送金の金額だけ充填することを特徴とする海外送金システム。
【請求項５】 前記送金人による入金及び前記送金人のカード番号を受付け、前記送金人の入金した送金の金額及び前記送金人のカード番号を含む前記送金データを前記送金側データ処理装置へ伝送する送金窓口端末装置を有することを特徴とする請求項４に記載の海外送金システム。
【請求項６】 送金側の国から受取側の国への送金を実行する海外送金システムにおいて、
前記送金側の国に設置される送金側データ処理装置と、前記受取側の国に設置される受取側データ処理装置とを有し、
前記受取側データ処理装置が受取人に対してカード番号を割り当てたカードを予め発行し、
前記送金側データ処理装置が送金人の入金した送金の金額及び前記受取人のカード番号を含む送金データを国際間決済処理ネットワークを利用して前記受取側データ処理装置へ伝送し、
前記受取側データ処理装置が前記送金側データ処理装置から伝送された送金データをデータベースに保存し、
前記受取人から送金の受取要求と共に前記受取人のカード番号の提示があった場合に、前記受取側データ処理装置が前記データベースを参照して前記受取人により提示された前記受取人のカード番号と前記送金データに含まれる前記受取人のカード番号との一致を確認し、
双方の前記カード番号の一致が確認された場合に、前記受取側データ処理装置が受取窓口端末装置に対して前記送金の金額の範囲内の受取りを承認する通知を伝送することを特徴とする海外送金システム。
【請求項７】 前記送金人による入金及び前記受取人のカード番号を受付け、前記送金人の入金した送金の金額及び前記受取人のカード番号を含む前記送金データを前記送金側データ処理装置へ伝送する送金窓口端末装置を有することを特徴とする請求項６に記載の海外送金システム。
【請求項８】 前記受取窓口端末装置が、前記受取人による前記送金の受取要求及び前記受取人のカード番号の提示を受付け、前記受取人のカード番号を含む受取データを前記受取側データ処理装置へ伝送することを特徴とする請求項６に記載の海外送金システム。
【請求項９】 送金側の国から受取側の国への送金を実行する海外送金システムにおいて、
前記送金側の国に設置される送金側データ処理装置と、前記受取側の国に設置される受取側データ処理装置とを有し、
前記受取側データ処理装置が受取人に対してカード番号を割り当てたカードを予め発行し、
前記送金側データ処理装置が送金人の入金した送金の金額及び前記受取人のカード番号を含む送金データを国際間決済処理ネットワークを利用して前記受取側データ処理装置へ伝送し、
前記受取側データ処理装置が前記送金データに含まれる前記受取人のカード番号に対応する前記受取人のカードに関するデータを保管したデータベース内における該カードの利用枠を前記送金の金額だけ充填することを特徴とする海外送金システム。
【請求項１０】 前記送金人による入金及び前記受取人のカード番号を受付け、前記送金人の入金した送金の金額及び前記受取人のカード番号を含む前記送金データを前記送金側データ処理装置へ伝送する送金窓口端末装置を有することを特徴とする請求項９に記載の海外送金システム。
【請求項１１】 送金側の国から受取側の国への送金を実行する海外送金システムにおいて、
前記送金側の国に設置される送金側データ処理装置と、前記受取側の国に設置される受取側データ処理装置とを有し、
前記受取側データ処理装置が複数の受取人に対してそれぞれ異なるカード番号を割り当てた複数のカードを予め発行し、
前記送金側データ処理装置が送金人の入金した送金について１又は複数の受取人の各々の受け取るべき金額及び１又は複数の前記受取人のカード番号を含む送金データを国際間決済処理ネットワークを利用して前記受取側データ処理装置へ伝送し、
前記受取側データ処理装置が前記送金側データ処理装置から伝送された送金データをデータベースに保存し、
前記受取人から送金の受取要求と共に前記受取人のカード番号の提示があった場合に、前記受取側データ処理装置が前記データベースを参照して前記受取人により提示された前記受取人のカード番号と前記送金データに含まれる１又は複数の前記受取人のカード番号のうちの一つとの一致を確認し、
前記一致が確認された場合に、前記受取側データ処理装置が、受取要求を受け付けた受取窓口端末装置に対して当該受取人の受け取るべき金額の範囲内の受取りを承認する通知を伝送することを特徴とする海外送金システム。
【請求項１２】 前記送金人による入金及び１又は複数の前記受取人のカード番号を受付け、前記送金人の入金した送金について１又は複数の受取人の各々の受け取るべきの金額及び１又は複数の前記受取人のカード番号を含む前記送金データを前記送金側データ処理装置へ伝送する送金窓口端末装置を有することを特徴とする請求項１１に記載の海外送金システム。
【請求項１３】 前記受取窓口端末装置が、前記受取人による前記送金の受取要求及び前記受取人のカード番号の提示を受付け、前記受取人のカード番号を含む受取データを前記受取側データ処理装置へ伝送することを特徴とする請求項１１に記載の海外送金システム。
【請求項１４】 送金側の国から受取側の国への送金を実行する海外送金システムにおいて、
前記送金側の国に設置される送金側データ処理装置と、前記受取側の国に設置される受取側データ処理装置とを有し、
前記受取側データ処理装置が複数の受取人に対してカード番号を割り当てたカードを予め発行し、
前記送金側データ処理装置が送金人の入金した送金について１又は複数の受取人の各々の受け取るべき金額及び１又は複数の前記受取人のカード番号を含む送金データを国際間決済処理ネットワークを利用して前記受取側データ処理装置へ伝送し、
前記受取側データ処理装置が、前記送金データに含まれる１又は複数の前記受取人のカード番号に対応する各々の前記受取人のカードに関するデータを保管したデータベース内における該カードの利用枠を前記送金の金額だけ充填することを特徴とする海外送金システム。
【請求項１５】 前記送金人による入金及び１又は複数の前記受取人のカード番号を受付け、前記送金人の入金した送金について１又は複数の受取人の各々の受け取るべき金額及び１又は複数の前記受取人のカード番号を含む前記送金データを前記送金側データ処理装置へ伝送する送金窓口端末装置を有することを特徴とする請求項１４に記載の海外送金システム。
【請求項１６】 前記送金側データ処理装置から前記受取側データ処理装置へ国際間決済処理ネットワークを利用して前記送金データに基づき送金処理が行われることを特徴とする請求項１〜１５のいずれかに記載の海外送金システム。
【請求項１７】 送金側の国から受取側の国への送金を実行する海外送金システムにおいて、
前記送金側の国に設置される送金側データ処理装置と、前記受取側の国に設置される受取側データ処理装置とを有し、
送金人から送金の入金があった場合に、前記送金側データ処理装置がカード番号を割り当てたカードを発行すると共に受取人に対して前記カード番号を通知し、
前記受取人から送金の受取要求と共に前記カード番号の提示があった場合に、前記受取側データ処理装置を介し国際間決済処理ネットワークを利用して前記送金側データ処理装置に対して前記カード番号についての与信チェック手続データが伝送され、
前記送金側データ処理装置が前記カード番号についての与信チェック手続を実行し、
前記カード番号が認証された場合に、前記受取側データ処理装置が、受取要求を受け付けた受取窓口端末装置に対して前記送金の金額の範囲内の受取りを承認する通知を伝送することを特徴とする海外送金システム。
【請求項１８】 送金側の国から受取側の国への送金を実行する海外送金システムにおいて、
前記送金側の国に設置される送金側データ処理装置と、前記受取側の国に設置される受取側データ処理装置とを有し、
送金人から送金の入金があった場合に、前記送金側データ処理装置がカード番号を割り当てたカードを発行すると共に受取人に対して前記カードを送付し、
前記受取人から送金の受取要求と共に前記カードの提示があった場合に、前記受取側データ処理装置を介し国際間決済処理ネットワークを利用して前記送金側データ処理装置に対して前記カードについての与信チェック手続データが伝送され、
前記送金側データ処理装置が前記カードについての与信チェック手続を実行し、
前記カードが認証された場合に、前記受取側データ処理装置が、受取要求を受け付けた受取窓口端末装置に対して前記送金の金額の範囲内の受取りを承認する通知を伝送することを特徴とする海外送金システム。
【請求項１９】 前記送金人による入金を受付け、前記送金側データ処理装置に替わり前記カードを発行すると共に、前記送金人の入金した送金の金額のデータ及び前記カードの発行に関するデータを前記送金側データ処理装置へ伝送する送金窓口端末装置を有することを特徴とする請求項１７又は１８に記載の海外送金システム。
【請求項２０】 前記受取窓口端末装置が、前記受取人からの送金の受取要求及び前記カード番号若しくはカードの提示を受付け、前記受取側データ処理装置を介し国際間決済処理ネットワークを利用して前記送金側データ処理装置との間で前記カード番号若しくはカードについての与信チェック手続データを授受することを特徴とする請求項１７又は１８に記載の海外送金システム。
【請求項２１】 前記送金側データ処理装置から前記受取側データ処理装置へ国際間決済処理ネットワークを利用して、前記受取人の受け取った金額について送金処理が行われることを特徴とする請求項１７〜２０のいずれかに記載の海外送金システム。
【請求項２２】 送金側の国から受取側の国への送金を実行する海外送金システムにおいて、
前記送金側の国に設置される送金側データ処理装置と、前記受取側の国に設置される加盟店管理装置とを有し、
前記加盟店管理装置が、受取人により引出可能な仮想加盟店口座を開設しかつ前記仮想加盟店口座に対応する加盟店番号を付与し、
前記送金人により前記加盟店番号の提示と共に送金の入金があった場合に、前記送金側データ処理装置が仮のカード番号を用いて前記加盟店番号及び前記送金の金額を含む支払データを作成すると共に、前記仮のカード番号を用いて国際間決済処理ネットワークを利用して前記支払データを前記加盟店管理装置へ伝送し、
前記加盟店管理装置が、前記支払データに含まれる前記加盟店番号に対応する前記仮想加盟店口座に対して前記支払データに含まれる前記送金の金額を入金することを特徴とする海外送金システム。
【請求項２３】 前記送金人による入金及び送金先として前記加盟店番号を受付け、前記送金人の入金した金額及び前記加盟店番号を含むデータを前記送金側データ処理装置へ伝送する送金窓口端末装置を有することを特徴とする請求項２２に記載の海外送金システム。
【請求項２４】 前記仮想加盟店口座の開設要求を受付け、口座開設データを前記加盟店管理装置へ伝送する受取窓口端末装置を有することを特徴とする請求項２２に記載の海外送金システム。
【請求項２５】 前記仮想加盟店口座からの引出しを行うための受取窓口端末装置を有することを特徴とする請求項２２に記載の海外送金システム。
【請求項２６】 前記送金側データ処理装置から前記加盟店管理装置へ国際間決済処理ネットワークを利用して前記支払データに基づき送金処理が行われることを特徴とする請求項２２〜２５のいずれかに記載の海外送金システム。
【手続補正３】
【補正対象書類名】明細書
【補正対象項目名】００１６
【補正方法】変更
【補正の内容】
【００１６】
（１）本発明の海外送金システムにおける第１の実施形態は、送金側の国から受取側の国への送金を実行する海外送金システムにおいて、
前記送金側の国に設置される送金側データ処理装置と、前記受取側の国に設置される受取側データ処理装置とを有し、
前記受取側データ処理装置が受取人及び送金人のそれぞれに対して２つの関連付けられたカード番号をそれぞれ割り当てたカードを予め発行し、
前記送金側データ処理装置が前記送金人の入金した送金の金額及び前記送金人のカード番号を含む送金データを国際間決済処理ネットワークを利用して前記受取側データ処理装置へ伝送し、
前記受取側データ処理装置が前記送金側データ処理装置から伝送された送金データをデータベースに保存し、
前記受取人から送金の受取要求と共に前記受取人のカード番号の提示があった場合に、前記受取側データ処理装置が前記データベースを参照して前記受取人により提示された前記受取人のカード番号と前記送金データに含まれる前記送金人のカード番号との関連付けを確認し、
双方の前記カード番号の関連付けが確認された場合に、前記受取側データ処理装置が受取窓口端末装置に対して前記送金の金額の範囲内の受取りを承認する通知を伝送する。
【手続補正４】
【補正対象書類名】明細書
【補正対象項目名】００１７
【補正方法】変更
【補正の内容】
【００１７】
（２）上記（１）の構成において、前記送金人による入金及び前記送金人のカード番号を受付け、前記送金人の入金した送金の金額及び前記送金人のカード番号を含む前記送金データを前記送金側データ処理装置へ伝送する送金窓口端末装置を有する。
【手続補正５】
【補正対象書類名】明細書
【補正対象項目名】００１８
【補正方法】変更
【補正の内容】
【００１８】
（３）上記（１）の構成において、前記受取窓口端末装置が、前記受取人による前記送金の受取要求及び前記受取人のカード番号の提示を受付け、前記受取人のカード番号を含む受取データを前記受取側データ処理装置へ伝送する。
【手続補正６】
【補正対象書類名】明細書
【補正対象項目名】００１９
【補正方法】変更
【補正の内容】
【００１９】
（４）本発明の海外送金システムの第１の実施形態の一変形態様として、送金側の国から受取側の国への送金を実行する海外送金システムにおいて、
前記送金側の国に設置される送金側データ処理装置と、前記受取側の国に設置される受取側データ処理装置とを有し、
前記受取側データ処理装置が受取人及び送金人のそれぞれに対して２つの関連付けられたカード番号をそれぞれ割り当てたカードを予め発行し、
前記送金側データ処理装置が前記送金人の入金した送金の金額及び前記送金人のカード番号を含む送金データを国際間決済処理ネットワークを利用して前記受取側データ処理装置へ伝送し、
前記受取側データ処理装置が前記送金データに含まれる前記送金人のカード番号と関連付けられた前記受取人のカード番号に対応する前記受取人のカードに関するデータを保管したデータベース内における該カードの利用枠を前記送金の金額だけ充填する。
【手続補正７】
【補正対象書類名】明細書
【補正対象項目名】００２０
【補正方法】変更
【補正の内容】
【００２０】
（５）上記（４）の構成において、前記送金人による入金及び前記送金人のカード番号を受付け、前記送金人の入金した送金の金額及び前記送金人のカード番号を含む前記送金データを前記送金側データ処理装置へ伝送する送金窓口端末装置を有する。
【手続補正８】
【補正対象書類名】明細書
【補正対象項目名】００２１
【補正方法】変更
【補正の内容】
【００２１】
（６）本発明の海外送金システムの第１の実施形態の一変形態様として、送金側の国から受取側の国への送金を実行する海外送金システムにおいて、
前記送金側の国に設置される送金側データ処理装置と、前記受取側の国に設置される受取側データ処理装置とを有し、
前記受取側データ処理装置が受取人に対してカード番号を割り当てたカードを予め発行し、
前記送金側データ処理装置が送金人の入金した送金の金額及び前記受取人のカード番号を含む送金データを国際間決済処理ネットワークを利用して前記受取側データ処理装置へ伝送し、
前記受取側データ処理装置が前記送金側データ処理装置から伝送された送金データをデータベースに保存し、
前記受取人から送金の受取要求と共に前記受取人のカード番号の提示があった場合に、前記受取側データ処理装置が前記データベースを参照して前記受取人により提示された前記受取人のカード番号と前記送金データに含まれる前記受取人のカード番号との一致を確認し、
双方の前記カード番号の一致が確認された場合に、前記受取側データ処理装置が受取窓口端末装置に対して前記送金の金額の範囲内の受取りを承認する通知を伝送する。
【手続補正９】
【補正対象書類名】明細書
【補正対象項目名】００２２
【補正方法】変更
【補正の内容】
【００２２】
（７）上記（６）の構成において、前記送金人による入金及び前記受取人のカード番号を受付け、前記送金人の入金した送金の金額及び前記受取人のカード番号を含む前記送金データを前記送金側データ処理装置へ伝送する送金窓口端末装置を有する。
【手続補正１０】
【補正対象書類名】明細書
【補正対象項目名】００２３
【補正方法】変更
【補正の内容】
【００２３】
（８）上記（６）の構成において、前記受取窓口端末装置が、前記受取人による前記送金の受取要求及び前記受取人のカード番号の提示を受付け、前記受取人のカード番号を含む受取データを前記受取側データ処理装置へ伝送する。
【手続補正１１】
【補正対象書類名】明細書
【補正対象項目名】００２４
【補正方法】変更
【補正の内容】
【００２４】
（９）本発明の海外送金システムの第１の実施形態の一変形態様として、送金側の国から受取側の国への送金を実行する海外送金システムにおいて、
前記送金側の国に設置される送金側データ処理装置と、前記受取側の国に設置される受取側データ処理装置とを有し、
前記受取側データ処理装置が受取人に対してカード番号を割り当てたカードを予め発行し、
前記送金側データ処理装置が送金人の入金した送金の金額及び前記受取人のカード番号を含む送金データを国際間決済処理ネットワークを利用して前記受取側データ処理装置へ伝送し、
前記受取側データ処理装置が前記送金データに含まれる前記受取人のカード番号に対応する前記受取人のカードに関するデータを保管したデータベース内における該カードの利用枠を前記送金の金額だけ充填する。
【手続補正１２】
【補正対象書類名】明細書
【補正対象項目名】００２５
【補正方法】変更
【補正の内容】
【００２５】
（１０）上記（９）の構成において、前記送金人による入金及び前記受取人のカード番号を受付け、前記送金人の入金した送金の金額及び前記受取人のカード番号を含む前記送金データを前記送金側データ処理装置へ伝送する送金窓口端末装置を有する。
【手続補正１３】
【補正対象書類名】明細書
【補正対象項目名】００２６
【補正方法】変更
【補正の内容】
【００２６】
（１１）本発明の海外送金システムの第１の実施形態の一変形態様として、送金側の国から受取側の国への送金を実行する海外送金システムにおいて、
前記送金側の国に設置される送金側データ処理装置と、前記受取側の国に設置される受取側データ処理装置とを有し、
前記受取側データ処理装置が複数の受取人に対してそれぞれ異なるカード番号を割り当てた複数のカードを予め発行し、
前記送金側データ処理装置が送金人の入金した送金について１又は複数の受取人の各々の受け取るべき金額及び１又は複数の前記受取人のカード番号を含む送金データを国際間決済処理ネットワークを利用して前記受取側データ処理装置へ伝送し、
前記受取側データ処理装置が前記送金側データ処理装置から伝送された送金データをデータベースに保存し、
前記受取人から送金の受取要求と共に前記受取人のカード番号の提示があった場合に、前記受取側データ処理装置が前記データベースを参照して前記受取人により提示された前記受取人のカード番号と前記送金データに含まれる１又は複数の前記受取人のカード番号のうちの一つとの一致を確認し、
前記一致が確認された場合に、前記受取側データ処理装置が、受取要求を受け付けた受取窓口端末装置に対して当該受取人の受け取るべき金額の範囲内の受取りを承認する通知を伝送する。
【手続補正１４】
【補正対象書類名】明細書
【補正対象項目名】００２７
【補正方法】変更
【補正の内容】
【００２７】
（１２）上記（１１）の構成において、前記送金人による入金及び１又は複数の前記受取人のカード番号を受付け、前記送金人の入金した送金について１又は複数の受取人の各々の受け取るべきの金額及び１又は複数の前記受取人のカード番号を含む前記送金データを前記送金側データ処理装置へ伝送する送金窓口端末装置を有する。
【手続補正１５】
【補正対象書類名】明細書
【補正対象項目名】００２８
【補正方法】変更
【補正の内容】
【００２８】
（１３）上記（１１）の構成において、前記受取窓口端末装置が、前記受取人による前記送金の受取要求及び前記受取人のカード番号の提示を受付け、前記受取人のカード番号を含む受取データを前記受取側データ処理装置へ伝送する。
【手続補正１６】
【補正対象書類名】明細書
【補正対象項目名】００２９
【補正方法】変更
【補正の内容】
【００２９】
（１４）本発明の海外送金システムの第１の実施形態の一変形態様として、送金側の国から受取側の国への送金を実行する海外送金システムにおいて、
前記送金側の国に設置される送金側データ処理装置と、前記受取側の国に設置される受取側データ処理装置とを有し、
前記受取側データ処理装置が複数の受取人に対してカード番号を割り当てたカードを予め発行し、
前記送金側データ処理装置が送金人の入金した送金について１又は複数の受取人の各々の受け取るべき金額及び１又は複数の前記受取人のカード番号を含む送金データを国際間決済処理ネットワークを利用して前記受取側データ処理装置へ伝送し、
前記受取側データ処理装置が、前記送金データに含まれる１又は複数の前記受取人のカード番号に対応する各々の前記受取人のカードに関するデータを保管したデータベース内における該カードの利用枠を前記送金の金額だけ充填する。
【手続補正１７】
【補正対象書類名】明細書
【補正対象項目名】００３０
【補正方法】変更
【補正の内容】
【００３０】
（１５）上記（１４）の構成において、前記送金人による入金及び１又は複数の前記受取人のカード番号を受付け、前記送金人の入金した送金について１又は複数の受取人の各々の受け取るべき金額及び１又は複数の前記受取人のカード番号を含む前記送金データを前記送金側データ処理装置へ伝送する送金窓口端末装置を有する。
【手続補正１８】
【補正対象書類名】明細書
【補正対象項目名】００３１
【補正方法】変更
【補正の内容】
【００３１】
（１６）上記（１）〜（１４）のいずれかの構成において、前記送金側データ処理装置から前記受取側データ処理装置へ国際間決済処理ネットワークを利用して前記送金データに基づき送金処理が行われる。
【手続補正１９】
【補正対象書類名】明細書
【補正対象項目名】００３２
【補正方法】変更
【補正の内容】
【００３２】
（１７）本発明の海外送金システムにおける第２の実施形態は、送金側の国から受取側の国への送金を実行する海外送金システムにおいて、
前記送金側の国に設置される送金側データ処理装置と、前記受取側の国に設置される受取側データ処理装置とを有し、
送金人から送金の入金があった場合に、前記送金側データ処理装置がカード番号を割り当てたカードを発行すると共に受取人に対して前記カード番号を通知し、
前記受取人から送金の受取要求と共に前記カード番号の提示があった場合に、前記受取側データ処理装置を介し国際間決済処理ネットワークを利用して前記送金側データ処理装置に対して前記カード番号についての与信チェック手続データが伝送され、
前記送金側データ処理装置が前記カード番号についての与信チェック手続を実行し、
前記カード番号が認証された場合に、前記受取側データ処理装置が、受取要求を受け付けた受取窓口端末装置に対して前記送金の金額の範囲内の受取りを承認する通知を伝送する。
【手続補正２０】
【補正対象書類名】明細書
【補正対象項目名】００３３
【補正方法】変更
【補正の内容】
【００３３】
（１８）本発明の海外送金システムの第２の実施形態の一変形態様として、送金側の国から受取側の国への送金を実行する海外送金システムにおいて、
前記送金側の国に設置される送金側データ処理装置と、前記受取側の国に設置される受取側データ処理装置とを有し、
送金人から送金の入金があった場合に、前記送金側データ処理装置がカード番号を割り当てたカードを発行すると共に受取人に対して前記カードを送付し、
前記受取人から送金の受取要求と共に前記カードの提示があった場合に、前記受取側データ処理装置を介し国際間決済処理ネットワークを利用して前記送金側データ処理装置に対して前記カードについての与信チェック手続データが伝送され、
前記送金側データ処理装置が前記カードについての与信チェック手続を実行し、
前記カードが認証された場合に、前記受取側データ処理装置が、受取要求を受け付けた受取窓口端末装置に対して前記送金の金額の範囲内の受取りを承認する通知を伝送する。
【手続補正２１】
【補正対象書類名】明細書
【補正対象項目名】００３４
【補正方法】変更
【補正の内容】
【００３４】
（１９）上記（１７）又は（１８）の構成において、前記送金人による入金を受付け、前記送金側データ処理装置に替わり前記カードを発行すると共に、前記送金人の入金した送金の金額のデータ及び前記カードの発行に関するデータを前記送金側データ処理装置へ伝送する送金窓口端末装置を有する。
【手続補正２２】
【補正対象書類名】明細書
【補正対象項目名】００３５
【補正方法】変更
【補正の内容】
【００３５】
（２０）上記（１７）又は（１８）の構成において、前記受取窓口端末装置が、前記受取人からの送金の受取要求及び前記カード番号若しくはカードの提示を受付け、前記受取側データ処理装置を介し国際間決済処理ネットワークを利用して前記送金側データ処理装置との間で前記カード番号若しくはカードについての与信チェック手続データを授受する。
【手続補正２３】
【補正対象書類名】明細書
【補正対象項目名】００３６
【補正方法】変更
【補正の内容】
【００３６】
（２１）上記（１７）〜（２０）のいずれかの構成において、前記送金側データ処理装置から前記受取側データ処理装置へ国際間決済処理ネットワークを利用して、前記受取人の受け取った金額について送金処理が行われる。
【手続補正２４】
【補正対象書類名】明細書
【補正対象項目名】００３８
【補正方法】変更
【補正の内容】
【００３８】
（２３）上記（２２）の構成において、前記送金人による入金及び送金先として前記加盟店番号を受付け、前記送金人の入金した金額及び前記加盟店番号を含むデータを前記送金側データ処理装置へ伝送する送金窓口端末装置を有する。
【手続補正２５】
【補正対象書類名】明細書
【補正対象項目名】００３９
【補正方法】変更
【補正の内容】
【００３９】
（２４）上記（２２）の構成において、前記仮想加盟店口座の開設要求を受付け、口座開設データを前記加盟店管理装置へ伝送する受取窓口端末装置を有する。
【手続補正２６】
【補正対象書類名】明細書
【補正対象項目名】００４０
【補正方法】変更
【補正の内容】
【００４０】
（２５）上記（２２）の構成において、前記仮想加盟店口座からの引出しを行うための受取窓口端末装置を有する。
【手続補正２７】
【補正対象書類名】明細書
【補正対象項目名】００４２
【補正方法】削除
【補正の内容】
【手続補正２８】
【補正対象書類名】明細書
【補正対象項目名】００４３
【補正方法】削除
【補正の内容】
【手続補正２９】
【補正対象書類名】明細書
【補正対象項目名】００４４
【補正方法】削除
【補正の内容】
【手続補正３０】
【補正対象書類名】明細書
【補正対象項目名】００４５
【補正方法】削除
【補正の内容】
【手続補正３１】
【補正対象書類名】明細書
【補正対象項目名】００４６
【補正方法】削除
【補正の内容】
【手続補正３２】
【補正対象書類名】明細書
【補正対象項目名】００４７
【補正方法】削除
【補正の内容】
【手続補正３３】
【補正対象書類名】明細書
【補正対象項目名】００４８
【補正方法】削除
【補正の内容】
【手続補正３４】
【補正対象書類名】明細書
【補正対象項目名】００４９
【補正方法】削除
【補正の内容】
【手続補正３５】
【補正対象書類名】明細書
【補正対象項目名】００５０
【補正方法】削除
【補正の内容】
【手続補正３６】
【補正対象書類名】明細書
【補正対象項目名】００５１
【補正方法】削除
【補正の内容】
【手続補正３７】
【補正対象書類名】明細書
【補正対象項目名】００５２
【補正方法】削除
【補正の内容】
【手続補正３８】
【補正対象書類名】明細書
【補正対象項目名】００５３
【補正方法】削除
【補正の内容】
【手続補正３９】
【補正対象書類名】明細書
【補正対象項目名】００５４
【補正方法】削除
【補正の内容】
【手続補正４０】
【補正対象書類名】明細書
【補正対象項目名】００５５
【補正方法】削除
【補正の内容】
【手続補正４１】
【補正対象書類名】明細書
【補正対象項目名】００５６
【補正方法】削除
【補正の内容】
【手続補正４２】
【補正対象書類名】明細書
【補正対象項目名】００５７
【補正方法】削除
【補正の内容】
【手続補正４３】
【補正対象書類名】明細書
【補正対象項目名】００５８
【補正方法】削除
【補正の内容】
【手続補正４４】
【補正対象書類名】明細書
【補正対象項目名】００５９
【補正方法】削除
【補正の内容】
【手続補正４５】
【補正対象書類名】明細書
【補正対象項目名】００６０
【補正方法】削除
【補正の内容】
【手続補正４６】
【補正対象書類名】明細書
【補正対象項目名】００６１
【補正方法】削除
【補正の内容】
【手続補正４７】
【補正対象書類名】明細書
【補正対象項目名】００６２
【補正方法】削除
【補正の内容】
【手続補正４８】
【補正対象書類名】明細書
【補正対象項目名】００６３
【補正方法】削除
【補正の内容】
【手続補正４９】
【補正対象書類名】明細書
【補正対象項目名】００６４
【補正方法】削除
【補正の内容】
【手続補正５０】
【補正対象書類名】明細書
【補正対象項目名】００６５
【補正方法】削除
【補正の内容】
【手続補正５１】
【補正対象書類名】明細書
【補正対象項目名】００６６
【補正方法】削除
【補正の内容】
【手続補正５２】
【補正対象書類名】明細書
【補正対象項目名】００６７
【補正方法】削除
【補正の内容】